(57)【要約】【課題】鉛直に近い面等にも容易に印刷できる印刷治具を提供する。【解決手段】スクリーン枠用の印刷治具１は、鉛直面上に配置され、スクリーン枠５を保持する保持部２と、保持部２に連結され、鉛直面と交差する水平面上に配置された載置部３とを備えていることを特徴とする。【選択図】図１
2011025628.tif 000002
【特許請求の範囲】
【請求項１】
第１平面上に配置され、印刷枠を保持する保持部と、
前記保持部に連結され、前記第１平面と交差する第２平面上に配置された載置部とを備えていることを特徴とする印刷治具。
【請求項２】
前記印刷枠が取り付けられ、前記保持部に移動可能に取り付けられた移動部を備えていることを特徴とする請求項１に記載の印刷治具。
【請求項３】
前記載置部の一端部は、前記保持部に連結され、
前記載置部は、前記載置部の他端部を前記保持部から離接させる伸縮機構を備えていることを特徴とする請求項１または請求項２に記載の印刷治具。
【請求項４】
前記載置部は、前記保持部とは反対側の端部に設けられた鉤部材と、
前記伸縮機構を収縮させる方向の弾性力を前記載置部に作用させる弾性部材とを備えていることを特徴とする請求項３に記載の印刷治具。
【請求項５】
前記印刷枠が、取り付けられる固定部材と、
前記印刷枠を前記固定部材に取り外し可能に取り付けるための取付部材とを備えていることを特徴とする請求項１〜請求項４のいずれか１項に記載の印刷治具。
【請求項６】
前記固定部材には、前記取付部材が取り付け可能な複数対の取付位置が形成されていることを特徴とする請求項５に記載の印刷治具。
【請求項７】
前記印刷枠が、取り付けられる固定部材を備え、
前記固定部材は、曲面状に構成されていることを特徴とする請求項１〜請求項６のいずれか１項に記載の印刷治具。
【請求項８】
前記載置部を前記保持部に回動可能に連結する回動手段を備えていることを特徴とする請求項１〜請求項７のいずれか１項に記載の印刷治具。
【発明の詳細な説明】
【技術分野】
【０００１】
本発明は、建築資材等へ印刷するために印刷枠を保持する印刷治具に関する。
【背景技術】
【０００２】
従来、建築資材等へ文字や図形等を印刷するためのステンシルマスターが挟持されたスクリーン枠等の印刷枠を保持する印刷治具が知られている。
【０００３】
特許文献１には、上枠と、下枠とを備えたスクリーン印刷用の製版枠が開示されている。上枠には、透孔が形成されている。下枠には、ピンが設けられている。
【０００４】
特許文献１の製版枠では、上枠の透孔に下枠のピンを挿入した状態で、上枠と下枠との間にスクリーンシート（ステンシルマスター）が挟持される。この状態で、ユーザが、スキージをインクが置かれたスクリーンシート上で摺動させることにより、所望の図柄が印刷される。
【先行技術文献】
【特許文献】
【０００５】
【特許文献１】特開２００７−３１３６４７号公報
【発明の概要】
【発明が解決しようとする課題】
【０００６】
しかしながら、特許文献１の製版枠を用いて、建築資材の壁面等に印刷する場合、ユーザは、製版枠を片手で持ちつつ、他方の手でスキージ等を持って印刷しなければならない。また、大型の建設資材に印刷する際には、２人で製版枠を保持しなければならない状況も生じる。このため、印刷作業が、困難であるといった課題がある。
【０００７】
本発明は、上述した課題を解決するために創案されたものであり、鉛直に近い面等にも容易に印刷できる印刷治具を提供することを目的としている。
【課題を解決するための手段】
【０００８】
上記目的を達成するために、請求項１に記載の発明は、第１平面上に配置され、印刷枠を保持する保持部と、前記保持部に連結され、前記第１平面と交差する第２平面上に配置された載置部とを備えている。
【０００９】
また、請求項２に記載の発明は、前記印刷枠が取り付けられ、前記保持部に移動可能に取り付けられた移動部を備えている。
【００１０】
また、請求項３に記載の発明は、前記載置部の一端部は、前記保持部に連結され、前記載置部は、前記載置部の他端部を前記保持部から離接させる伸縮機構を備えている。
【００１１】
また、請求項４に記載の発明は、前記載置部は、前記保持部とは反対側の端部に設けられた鉤部材と、前記伸縮機構を収縮させる方向の弾性力を前記載置部に作用させる弾性部材とを備えている。
【００１２】
また、請求項５に記載の発明は、前記印刷枠が、取り付けられる固定部材と、前記印刷枠を前記固定部材に取り外し可能に取り付けるための取付部材とを備えている。
【００１３】
また、請求項６に記載の発明は、前記固定部材には、前記取付部材が取り付け可能な複数対の取付位置が形成されている。
【００１４】
また、請求項７に記載の発明は、前記印刷枠が、取り付けられる固定部材を備え、前記固定部材は、曲面状に構成されている。
【００１５】
また、請求項８に記載の発明は、前記載置部を前記保持部に回動可能に連結する回動手段を備えている。
【発明の効果】
【００１６】
本発明によれば、保持部が配置される第１平面と載置部が配置される第２平面とが交差している。これにより、建築資材等の上に載置部を水平に載置すると、保持部が水平面と交差する面（例えば、鉛直面）に配置される。これにより、保持部に保持された印刷枠を用いて印刷することによって、ユーザは、鉛直に近い面にも容易に印刷することができる。
【図面の簡単な説明】
【００１７】
【図１】第１実施形態による印刷治具の全体斜視図である。
【図２】印刷治具の正面図である。
【図３】印刷治具の左側面図である。
【図４】移動部の一部を拡大した斜視図である。
【図５】図２のＶ−Ｖ線に沿った横断面図である。
【図６】スクリーン枠の分解斜視図である。
【図７】図２のＶＩＩ−ＶＩＩ線に沿ったスクリーン枠の縦断面図である。
【図８】スクリーン枠にステンシルマスターを取り付ける作業を説明する図７相当図である。
【図９】第２実施形態による印刷治具の部分斜視図（収縮状態）である。
【図１０】印刷治具の部分斜視図（伸長状態）である。
【図１１】第３実施形態による印刷治具の部分左側面図（非挟持状態）である。
【図１２】印刷治具の部分左側面図（挟持状態）である。
【図１３】第４実施形態による印刷治具の全体斜視図である。
【図１４】第５実施形態による印刷治具の左側面図である。
【発明を実施するための形態】
【００１８】
（第１実施形態）
以下、図面を参照して、本発明をスクリーン枠用の印刷治具に適用した第１実施形態について説明する。図１は、第１実施形態による印刷治具の全体斜視図である。図２は、印刷治具の正面図である。図３は、印刷治具の左側面図である。図４は、移動部の一部を拡大した斜視図である。図５は、図２のＶ−Ｖ線に沿った横断面図である。図６は、スクリーン枠の分解斜視図である。図７は、図２のＶＩＩ−ＶＩＩ線に沿ったスクリーン枠の縦断面図である。以下の説明において、図１の矢印で示すように、ユーザの位置する方向を前方、ユーザから視て左右を左右方向とする。
【００１９】
図１に示すように、第１実施形態によるスクリーン枠用の印刷治具１は、角型下水管等のコンクリート製の建築資材９０に所望の図柄（例えば、ＡＢＣＤ）９１を印刷するためのものである。
【００２０】
図１〜図３に示すように、印刷治具１は、保持部２と、載置部３と、移動部４と、スクリーン枠（印刷枠）５、６とを備えている。尚、以下の説明において、特に必要のない場合は、スクリーン枠を示す際には、スクリーン枠の符号を「５」とする。
【００２１】
保持部２は、移動部４を介して、スクリーン枠５を保持するものである。保持部２は、梁部材１１と、一対の柱部材１２、１３とを備えている。尚、保持部２の梁部材１１及び柱部材１２、１３は、同一平面上（鉛直面上）に配置されている。
【００２２】
梁部材１１は、四角柱状に形成されている。梁部材１１は、左右方向に延びるように配置されている。
【００２３】
一対の柱部材１２、１３は、四角柱状に形成されている。柱部材１２、１３は、上下方向に延びるように配置されている。柱部材１２の上端部は、梁部材１１の左端部に固定されている。柱部材１３の上端部は、梁部材１１の右端部に固定されている。
【００２４】
ガイド溝１５（１６）が、図２、図４及び図５に示すように、柱部材１２（１３）の前面の中央部に形成されている。ガイド溝１５、１６は、移動部４を上下方向にガイドするものである。ガイド溝１５、１６は、上下方向に延びるように形成されている。ガイド溝１５（１６）は、柱部材１２（１３）の上下方向の全長にわたって形成されている。ガイド溝１５（１６）は、前後方向において、柱部材１２（１３）の途中部まで形成されている。ガイド溝１５（１６）は、前面側の貫通溝１５ａ（１６ａ）と、奥側のガイド部１５ｂ（１６ｂ）とによって構成されている。貫通溝１５ａ（１６ａ）の幅は、ガイド部１５ｂ（１６ｂ）の幅よりも小さく設定されている。
【００２５】
載置部３は、保持部２に連結され、印刷対象の建築資材９０に載置される。載置部３は、図１に示すように、一対の前後梁２１、２２と、横梁２３とを備えている。尚、載置部３の前後梁２１、２２及び横梁２３は、同一平面上（水平面上）に配置されている。即ち、載置部３が配置されている平面と保持部２が配置されている平面は、交差（直交）する。
【００２６】
前後梁２１、２２は、四角柱状に形成されている。前後梁２１、２２は、前後方向に延びるように配置されている。前後梁２１の前端部は、柱部材１２の上端部に固定されている。前後梁２２の前端部は、柱部材１３の上端部に固定されている。
【００２７】
横梁２３は、四角柱状に形成されている。横梁２３は、左右方向に延びるように配置されている。横梁２３の左端部は、前後梁２１の後瑞部に固定されている。横梁２３の右端部は、前後梁２２の後端部に固定されている。
【００２８】
移動部４は、スクリーン枠５が取り付けられるとともに、上下方向に移動可能に保持部２に取り付けられるものである。図２、図４及び図５に示すように、移動部４は、固定板（請求項の固定部材に相当）３１と、一対の取付部材３２と、連結部材３３、３４と、連結ピン３５、３６と、被ガイド部材３７、３８とを備えている。
【００２９】
固定板３１は、スクリーン枠５が取り付けられるものである。固定板３１は、左右方向に延びる板状部材である。固定板３１は、柱部材１２と柱部材１３との間にわたって設置されている。固定板３１の左右両端には、前後方向に貫通された一対の連結孔３１ａが形成されている。固定板３１には、図２に示すように、前後方向に貫通された二対の貫通孔（請求項の取付位置）３１ｂが形成されている。貫通孔３１ｂの各対は、異なる大きさのスクリーン枠５及び図２に一点鎖線で示すスクリーン枠６のいずれかが取り付けられるように構成されている。
【００３０】
一対の取付部材３２は、固定板３１にスクリーン枠５を取り外し可能に取り付けるものである。取付部材３２は、蝶ナット３２ａ、及び、貫通孔３１ｂに挿通されるネジ３２ｂからなる。
【００３１】
連結部材３３（３４）は、固定板３１と被ガイド部材３７（３８）とを連結するものである。連結部材３３は、柱部材１２に設置される。連結部材３４は、柱部材１３に設置される。連結部材３３、３４は、平面視にて、コ字状に形成されている。図５に示すように、連結部材３３は、柱部材１２の前後面及び左側面を覆うように配置されている。連結部材３４は、柱部材１３の前後面及び右側面を覆うように配置されている。連結部材３３（３４）の後面部３３ａ（３４ａ）は、前面部３３ｂ（３４ｂ）よりも内側へ長くなるように構成されている。連結部材３３（３４）の前面部３３ｂ（３４ｂ）には、貫通孔４１（４２）が形成されている。連結部材３３（３４）の後面部３３ａ（３４ａ）には、前後方向に貫通された連結孔４３（４４）が形成されている。連結孔４３（４４）は、固定板３１の連結孔３１ａと対応する位置に形成されている。
【００３２】
連結ピン３５（３６）は、固定板３１を連結部材３３（３４）に連結するものである。連結ピン３５（３６）は、固定板３１の連結孔３１ａと連結部材３３（３４）の連結孔４３（４４）とに挿通されている。
【００３３】
被ガイド部材３７（３８）は、ガイド溝１５（１６）に沿ってガイドされつつ、上下方向に移動されるものである。また、被ガイド部材３７（３８）は、解除可能に連結部材３３（３４）を柱部材１２（１３）に固定する。図５に示すように、被ガイド部材３７（３８）は、蝶ネジ５１（５３）と、ガイドナット５２（５４）とを有する。
【００３４】
蝶ネジ５１（５３）の先端部は、連結部材３３（３４）の貫通孔４１（４２）及びガイド溝１５（１６）の貫通溝１５ａ（１６ａ）とに挿通されている。蝶ネジ５１（５３）の先端は、ガイド溝１５（１６）のガイド部１５ｂ（１６ｂ）にまで達する長さに構成されている。蝶ネジ５１（５３）の先端部は、ガイドナット５２（５４）に螺合されている。
【００３５】
ガイドナット５２（５４）は、ガイド溝１５（１６）のガイド部１５ｂ（１６ｂ）に摺動可能に配置されている。ガイドナット５２、５４は、直方体形状に形成されている。ガイドナット５２（５４）の左右方向の幅は、ガイド部１５ｂ（１６ｂ）の左右方向の幅と略等しく構成されている。これにより、蝶ネジ５１（５３）が回転されても、ガイドナット５２（５４）は、ガイド部１５ｂ（１６ｂ）の側壁によって回転が規制される。ガイドナット５２（５４）は、ガイド部１５ｂ（１６ｂ）によって上下方向にガイドされる。また、ガイドナット５２（５４）の幅は、ガイド溝１５（１６）の貫通溝１５ａ（１６ａ）の幅よりも大きい。これにより、ガイドナット５２（５４）が、前方へ抜けることを抑制する。
【００３６】
被ガイド部材３７（３８）は、ガイドナット５２（５４）に螺合された蝶ネジ５１（５３）を緩めることによって、ガイド溝１５（１６）にガイドされて、上下方向に移動可能になる。一方、被ガイド部材３７（３８）は、ガイドナット５２（５４）に螺合された蝶ネジ５１（５３）を締めることによって、貫通溝１５ａ（１６ａ）を挟持する。これにより、被ガイド部材３７（３８）は、連結部材３３（３４）及び固定板３１とともに、柱部材１２（１３）に固定される。
【００３７】
スクリーン枠５は、ステンシルマスター９２を保持するものである。スクリーン枠５は、保持部２と略同一平面（鉛直面）上に保持される。スクリーン枠５は、図６に示すように、前枠６１と、後枠６２と、４個の挟持部材６３とを備えている。
【００３８】
前枠６１は、長方形に形成されている。前枠６１の中央部は、開口されている。この開口された領域が、印刷可能な印刷領域９３となる。図６及び図７に示すように、突条部６４が、前枠６１の内側の全周にわたって形成されている。突条部６４は、後方向に延びるように形成されている。突条部６４は、ステンシルマスター９２にテンションを作用させるものである。一対の貫通孔６１ａが、前枠６１の上部に形成されている。貫通孔６１ａは、取付部材３２のネジ３２ｂを挿通させるものである。
【００３９】
後枠６２は、長方形に形成されている。後枠６２の中央部は、印刷領域９３に合わせて開口されている。図６及び図７に示すように、後枠６２の外周は、前枠６１の外周と略同じ形状に形成されている。一方、後枠６２の内周は、前枠６１の内周よりも小さく構成されている。具体的には、後枠６２の内周は、前枠６１の突条部６４の上面と略同じ形状に構成されている。これにより、前枠６１の後面及び突条部６４の上面と、後枠６２の前面及び内周面とによってステンシルマスター９２を挟持して、ステンシルマスター９２に適度なテンションを作用させることができる。一対の貫通孔６２ａが、後枠６２の上部に形成されている。貫通孔６２ａは、取付部材３２のネジ３２ｂを挿通させるものである。
【００４０】
挟持部材６３は、前枠６１と後枠６２とを挟持するものである。挟持部材６３は、弾性変形可能な樹脂材料からなる。４個の挟持部材６３は、上下左右の位置にそれぞれ配置される。挟持部材６３は、コ字状に形成されている。挟持部材６３は、前枠６１及び後枠６２の外側から嵌められて、設置される。挟持部材６３は、前後方向から前枠６１及び後枠６２を押圧して挟持する。
【００４１】
次に、第１実施形態による印刷治具１を使用したユーザによる印刷作業について説明する。図８、スクリーン枠にステンシルマスターを取り付ける作業を説明する図７相当図である。
【００４２】
まず、図８に示すように、ユーザは、スクリーン枠５の前枠６１にステンシルマスター９２を設置する。次に、ユーザは、後枠６２を前枠６１の突条部６４の外側に嵌合させる（図８矢印Ａ参照）。その後、ユーザは、前枠６１及び後枠６２の外側の上下左右から４個の挟持部材６３を嵌め込む（図８矢印Ｂ参照）。これにより、図７に示すように、前枠６１と後枠６２とが互いに密着状態となる。この結果、ステンシルマスター９２が、前枠６１と後枠６２とによって挟持されるとともに、適度のテンションがステンシルマスター９２に作用する。
【００４３】
次に、ステンシルマスター９２とともにスクリーン枠５が、移動部４の固定板３１に取付部材３２によって取り付けられる。その後、ユーザは、建築資材９０の印刷対象面とスクリーン枠５が近接するように、印刷治具１の載置部３を建築資材９０に載置する。ここで、印刷治具１を建築資材９０に載置した後、ユーザは、印刷治具１から手を離すことができる。
【００４４】
ここで、ユーザは、所望の印刷位置の高さとステンシルマスター９２の高さとがずれている場合、ステンシルマスター９２とともに移動部４を移動させる。具体的には、まず、ユーザは、ガイドナット５２（５４）に螺合されている蝶ネジ５１（５３）を緩める。これにより、柱部材１２、１３に固定されていた移動部４の固定が解除される。次に、ユーザは、ステンシルマスター９２が所望の高さになるように、移動部４を上下方向に移動させる。この際、ガイドナット５２（５４）は、ガイド溝１５（１６）のガイド部１５ｂ（１６ｂ）によって上下方向にガイドされる。この後、ユーザは、所望の位置までステンシルマスター９２を移動させると、ガイドナット５２（５４）に螺合されている蝶ネジ５１（５３）を締め直す。これにより、移動部４が、スクリーン枠５及びステンシルマスター９２とともに柱部材１２、１３に固定される。
【００４５】
次に、ユーザは、ステンシルマスター９２の前面に所望のインクを塗布する。この後、ユーザは、スキージ等をインク上で摺動させることによって、建築資材９０の所望の位置に図柄（ＡＢＣＤ）９３が印刷される。
【００４６】
これにより、ユーザの印刷作業が終了する。
【００４７】
上述したように第１実施形態による印刷治具１では、スクリーン枠５を保持する保持部２が配置された平面と、建築資材９０の上に載置される載置部３が配置された平面とが交差（直交）する。これにより、載置部３を建築資材９０の上面（水平面）に載置することにより、保持部２に保持されたスクリーン枠５が、略鉛直面に沿って配置されることになる。この状態で、ユーザは、手を離す、若しくは、軽く手を添える程度で、印刷作業を行うことができる。これにより、ユーザは、建築資材９０の鉛直面上に容易に１人で印刷することができる。この結果、工数を削減しつつ、作業性及び生産効率を向上させることができる。
【００４８】
また、印刷治具１では、保持部２に対して上下方向に移動可能な移動部４に固定されている。これにより、ユーザは、移動部４を上下方向に移動させることにより、所望の高さにスクリーン枠５を配置することができる。この結果、ユーザは、建築資材９０の所望の高さに容易に印刷することができる。また、ユーザは、移動部４を固定することにより、複数の建築資材９０の同じ位置に印刷することができる。
【００４９】
また、印刷治具１では、蝶ナット３２ａとネジ３２ｂを有する取付部材３２を有するので、スクリーン枠５を固定板３１から容易に取り外すことができる。更に、スクリーン枠５を取り外すことによって、スクリーン枠５にステンシルマスター９２を容易に取り付けることができる。
【００５０】
また、印刷治具１では、固定板３１に二対の貫通孔３１ｂを形成することにより、大きさの異なる複数のスクリーン枠５、６を取り付けることができる。これにより、印刷治具１は、幅広いスクリーン枠５、６に対応することができる。
【００５１】
また、印刷治具１では、建築資材９０上に載置した状態で、スクリーン枠５を取り外すことができる。これにより、複数のスクリーン枠５による異なる色での印刷が可能となる。
【００５２】
（第２実施形態）
次に、上述した実施形態の載置部を変更した第２実施形態について説明する。図９は、第２実施形態による印刷治具の部分斜視図（収縮状態）である。図１０は、印刷治具の部分斜視図（伸長状態）である。尚、上述した実施形態と同様の構成には、同じ符号を付けて説明を省略する。
【００５３】
図９及び図１０に示すように、第２実施形態による印刷治具１Ａの載置部３Ａは、前後梁２１Ａ、２２Ａの後端部を、保持部２に連結された前端部から離接させる伸縮機構（テレスコピック機構）を備えている。
【００５４】
具体的には、前後梁２１Ａ（２２Ａ）は、前梁部７１（７３）と、後梁部７２（７４）とを有する。前梁部７１（７３）は、中空の直方体形状に形成されている。前梁部７１（７３）の前端部は、保持部２の柱部材１２（１３）の上端部に固定されている。
【００５５】
後梁部７２（７４）は、直方体形状に形成されている。ここで、後梁部７２（７４）は、前梁部７１（７３）の中空部に収納可能な大きさに構成されている。
【００５６】
第２実施形態では、図９に示すように、後梁部７２（７４）を前梁部７１（７３）に収納することにより、前後梁２１Ａ（２２Ａ）を収縮できる。また、図１０に示すように、後梁部７２（７４）を前梁部７１（７３）から出すことにより、前後梁２１Ａ（２２Ａ）を伸長できる。これにより、建築資材が大きい場合は、前後梁２１Ａ（２２Ａ）を伸張させることにより、印刷治具１Ａを安定させることができる。
【００５７】
（第３実施形態）
次に、上述した第２実施形態を変更した第３実施形態について説明する。図１１は、第３実施形態による印刷治具の部分左側面図（非挟持状態）である。図１２は、印刷治具の部分左側面図（挟持状態）である。尚、上述した実施形態と同様の構成には、同じ符号を付けて説明を省略する。
【００５８】
図１１及び図１２に示すように、第３実施形態による印刷治具１Ｂの載置部３Ｂは、鉤部材７６と、弾性部材７７とを備えている。
【００５９】
また、印刷治具１Ｂでは、前後梁２１Ｂの後梁部７２Ｂの後端部に鉤孔７８が設けられている。鉤孔７８は、上下方向に後梁部７２Ｂを貫通している。尚、第２実施形態と同様に、第３実施形態の前後梁２１Ｂも伸長機構を有する。即ち、後梁部７２Ｂは、前梁部７１Ｂに収納可能に構成されている。
【００６０】
鉤部材７６は、前後梁２１Ｂの後梁部７２Ｂの後端部に設けられている。即ち、鉤部材７６は、保持部２とは反対側の端部に設けられている。鉤部材７６の高さは、後梁部７２Ｂの高さよりも高い。鉤部材７６の途中部は、摺動可能に鉤孔７８に挿通されている。鉤部材７６の上端部及び下端部は、鉤孔７８よりも大きい。これにより、鉤部材７６は、上下方向に移動可能に、且つ、抜け止めされている。
【００６１】
弾性部材７７は、引っ張りバネからなる。弾性部材７７の前端は、前梁部７１Ｂに固定されている。弾性部材７７の後瑞は、後梁部７２Ｂに固定されている。これにより、弾性部材７７は、後梁部７２Ｂを前梁部７１Ｂに収納する方向の弾性力を後梁部７２Ｂに作用させる。即ち、弾性部材７７は、収縮する方向の弾性力を前後梁２１Ｂに作用させる。
【００６２】
第３実施形態による印刷治具１Ｂでは、建築資材９０が大きい場合、図１１に示す状態から、後梁部７２Ｂを後方へと伸ばす。そして、後梁部７２Ｂの後瑞が建築資材９０の後面よりも後方へ達すると、鉤部材７６が建築資材９０の後方に落下する。この状態では、弾性部材７７が、前方の弾性力（収縮させる方向の弾性力）を後梁部７２Ｂに作用させている。これにより、図１２に示すように、鉤部材７６が、建築資材９０の後面に接するまで、後梁部７２Ｂが弾性部材７７によって前方へ戻される。この結果、建築資材９０が、柱部材１２と鉤部材７６とによって挟持される。この状態でユーザは、印刷作業を行うことができるので、印刷治具１Ｂが位置ずれすることを抑制できる。これにより、印刷治具１Ｂは、印刷品質を向上させることができる。
【００６３】
（第４実施形態）
次に、上述した実施形態を部分的に変更した第４実施形態について説明する。図１３は、第４実施形態による印刷治具の全体斜視図である。尚、上述した実施形態と同様の構成には、同じ符号を付けて説明を省略する。
【００６４】
図１３に示すように、第４実施形態による印刷治具１Ｃでは、曲面を有する建築資材（図示略）に印刷可能に構成されている。
【００６５】
具体的には、スクリーン枠５Ｃが、曲面状の前枠６１Ｃ及び後枠６２Ｃを備えている。また、挟持部材６３Ｃが、曲面状の前枠６１Ｃ及び後枠６２Ｃに対応して曲面状に構成されている。
【００６６】
また、第４実施形態では、移動部４Ｃの固定板３１Ｃが、曲面状のスクリーン枠５Ｃを取付可能な曲板状に構成されている。
【００６７】
第４実施形態では、スクリーン枠５Ｃ及び固定板３１Ｃが曲面状に形成されているので、コンクリート製の円筒管等の建築資材に容易に印刷することができる。
【００６８】
（第５実施形態）
次に、上述した実施形態を部分的に変更した第５実施形態について説明する。図１４は、第５実施形態による印刷治具の左側面図である。尚、上述した実施形態と同様の構成には、同じ符号を付けて説明を省略する。
【００６９】
図１４に示すように、第５実施形態による印刷治具１Ｄでは、載置部３が、回動部材８１を介して、保持部２に対して回動可能に連結されている。
【００７０】
回動部材８１は、回動軸８２と、ロック部材８３とを備えている。
【００７１】
回動軸８２は、前後梁２１Ｄ、２２Ｄの前端部と、柱部材１２Ｄ、１３Ｄの上端部、梁部材１１Ｄの全長を貫くように配置されている。
【００７２】
ロック部材８３は、蝶ネジを含む。ロック部材８３は、蝶ネジを緩めることにより、保持部２Ｄに対する載置部３Ｄのロックを解除可能に構成されている。また、ロック部材８３は、蝶ネジを締めることによって、保持部２Ｄに対する載置部３Ｄの回動を規制する。
【００７３】
第５実施形態による印刷治具１Ｄでは、保持部２Ｄに対して載置部３Ｄを回動可能に構成したので、幅広い建築資材の傾斜面に対応することができる。
【００７４】
また、印刷治具１Ｄでは、保持部２Ｄと載置部３Ｄとが、同一平面上に配置されるまで回動させることにより、印刷治具１Ｄの収納スペースを小さくすることができる。
【００７５】
以上、実施形態を用いて本発明を詳細に説明したが、本発明は本明細書中に説明した実施形態に限定されるものではない。本発明の範囲は、特許請求の範囲の記載及び特許請求の範囲の記載と均等の範囲により決定されるものである。以下、上記実施形態を一部変更した変更形態について説明する。
【００７６】
上述した実施形態における各構成の形状、数値、材料等は適宜変更可能である。
【００７７】
また、各実施形態を組み合わせてもよい。
【００７８】
また、上述した実施形態では、正面視にて、四角形状のスクリーン枠を例に説明したが、正面視にて、丸形状または多角形状のスクリーン枠を適用してもよい。
【符号の説明】
【００７９】
１、１Ａ、１Ｂ、１Ｃ、１Ｄ  印刷治具
２、２Ｄ      保持部
３、３Ａ、３Ｂ、３Ｄ       載置部
４、４Ｃ      移動部
５、５Ｃ、６  スクリーン枠
１１、１１Ｄ  梁部材
１２、１２Ｄ、１３、１３Ｄ  柱部材
１５   ガイド溝
１５ａ、１６ａ             貫通溝
１５ｂ、１６ｂ             ガイド部
２１、２１Ａ、２１Ｂ、２１Ｄ             前後梁
２２、２２Ａ、２２Ｄ       前後梁
２３   横梁
３１、３１Ｃ  固定板
３１ｂ 貫通孔
３２   取付部材
３３、３４    連結部材
３７、３８    被ガイド部材
５１、５３    蝶ネジ
５２、５４    ガイドナット
６１、６１Ｃ  前枠
６１ａ 貫通孔
６２、６２Ｃ  後枠
６２ａ 貫通孔
６３、６３Ｃ  挟持部材
６４   突条部
７１、７３、７１Ｂ   前梁部
７２、７４、７２Ｂ   後梁部
７６   鉤部材
７７   弾性部材
７８   鉤孔
８１   回動部材
８２   回動軸
８３   ロック部材
９０   建築資材
９２   ステンシルマスター
９３   印刷領域
【図１】
2011025628.tif 000003
【図２】
2011025628.tif 000004
【図３】
2011025628.tif 000005
【図４】
2011025628.tif 000006
【図５】
2011025628.tif 000007
【図６】
2011025628.tif 000008
【図７】
2011025628.tif 000009
【図８】
2011025628.tif 000010
【図９】
2011025628.tif 000011
【図１０】
2011025628.tif 000012
【図１１】
2011025628.tif 000013
【図１２】
2011025628.tif 000014
【図１３】
2011025628.tif 000015
【図１４】
2011025628.tif 000016